(57)【特許請求の範囲】
【請求項１】
建物の外壁に設けた開口部に開閉自在に設置された開閉部材の屋外側に取り付けられ、開口部周辺における人の存在を検出するセンサ部と、警戒状態と非警戒状態とを切り替える動作切替部、音又は光の少なくともいずれか一方で警報を発生する警報発生手段、及び、動作切替部により警戒状態に切り替えられた場合にセンサ部が人を検知すると警報発生手段から警報を発生させるとともにセンサ部が破壊されると警報発生手段から警報を発生させる警報発生部を収納し、前記開閉部材の屋内側に取り付けられる警戒装置本体と、前記開閉部材と前記開口部との間の隙間に配置され、センサ部と警戒装置本体との間を連結する連結部と、を備えて成ることを特徴とする侵入警戒装置。
【請求項２】
警報発生部は、センサ部が接続される入力端子間が開放状態となることからセンサ部の破壊を検出して警報発生手段から警報を発生させることを特徴とする請求項１記載の侵入警戒装置。
【請求項３】
上記開閉部材は扉枠内に開閉自在に取り付けられた玄関扉であることを特徴とする請求項１又は２の何れか１項に記載の侵入警戒装置。
【請求項４】
上記警報発生手段は、玄関扉に設けられた来客確認用の覗き窓に光を照射する投光部であって、動作切替部により警戒状態に切り替えられた場合にセンサ部が人を検知すると、上記警報発生部は投光部から覗き窓に光を照射させることを特徴とする請求項３記載の侵入警戒装置。
【請求項５】
上記開閉部材は窓枠内に開閉自在に取り付けられた窓板であることを特徴とする請求項１又は２の何れか１項に記載の侵入警戒装置。
【請求項６】
上記警報発生手段は、上記窓板に光を照射する投光部であって、動作切替部により警戒状態に切り替えられた場合にセンサ部が人を検知すると、上記警報発生部は投光部から窓板に光を照射させることを特徴とする請求項５記載の侵入警戒装置。
【請求項７】
動作切替部により警戒状態に切り替えられた場合にセンサ部が人を検知すると、外部に接点信号を出力する接点信号出力部を設けたことを特徴とする請求項１乃至６の何れか１項に記載の侵入警戒装置。
【請求項８】
動作切替部により警戒状態に切り替えられた場合にセンサ部が人を検知すると、ワイヤレス信号により発報信号を送信するワイヤレス送信部を設けたことを特徴とする請求項１乃至６の何れか１項に記載の侵入警戒装置。
【発明の詳細な説明】
【０００１】
【発明の属する技術分野】
本発明は、侵入警戒装置に関するものである。
【０００２】
【従来の技術】
この種の侵入警戒装置としては、図６に示すように、人体から放射される熱線を検出することにより人の存否を検出する人感センサ１と、スピーカＳＰと、警報状態と非警報状態とを切り替える切替スイッチＳＷと、切替スイッチＳＷにより警報状態に設定されている場合に人感センサ１が検知領域内で人を検出するとスピーカＳＰから警報音を発生させる制御部（図示せず）とを収納した警戒装置本体２を、住宅の軒天井部に設置して侵入者を検出するものが従来より提供されている。
【０００３】
【発明が解決しようとする課題】
上記構成の侵入警戒装置では、警戒装置本体２が住宅の外側に設置されているので、室内から切替スイッチＳＷを操作して警報状態と非警報状態とを切り替えることができなかった。また、警戒装置本体２が住宅の外側に設置されているため、侵入者によって警戒装置本体２が破壊される虞があり、警戒装置本体２が破壊されると、警報を発することができなくなるという問題もあった。
【０００４】
本発明は上記問題点に鑑みて為されたものであり、その目的とするところは、屋内から警報状態と非警報状態とを切り替えることができ、万一屋外に設置された部分が破壊されたとしても警報を発することができる侵入警戒装置を提供することにある。
【０００５】
【課題を解決するための手段】
上記目的を達成するために、請求項１の発明では、建物の外壁に設けた開口部に開閉自在に設置された開閉部材の屋外側に取り付けられ、開口部周辺における人の存在を検出するセンサ部と、警戒状態と非警戒状態とを切り替える動作切替部、音又は光の少なくともいずれか一方で警報を発生する警報発生手段、及び、動作切替部により警戒状態に切り替えられた場合にセンサ部が人を検知すると警報発生手段から警報を発生させるとともにセンサ部が破壊されると警報発生手段から警報を発生させる警報発生部を収納し、前記開閉部材の屋内側に取り付けられる警戒装置本体と、前記開閉部材と前記開口部との間の隙間に配置され、センサ部と警戒装置本体との間を連結する連結部と、を備えて成ることを特徴とし、警戒装置本体は開閉部材の屋内側に設置されており、この警戒装置本体に動作切替部が設けられているので、屋内から動作切換部を操作して警戒状態と非警戒状態とを切り替えることができる。また、屋外に設置されたセンサ部が壊されたとしても、屋内に設置された警戒装置本体は無事なので、警戒装置本体より警報を発生させることもできる。
請求項２の発明では、請求項１の発明において、警報発生部は、センサ部が接続される入力端子間が開放状態となることからセンサ部の破壊を検出して警報発生手段から警報を発生させることを特徴とし、センサ部が接続される入力端子間が開放状態となることからセンサ部の破壊を検出して、警戒装置本体より警報を発生させることができる。
【０００６】
請求項３の発明では、請求項１又は２の発明において、上記開閉部材は扉枠内に開閉自在に取り付けられた玄関扉であることを特徴とし、玄関からの侵入者を検出することができる。
【０００７】
請求項４の発明では、請求項３の発明において、上記警報発生手段は、玄関扉に設けられた来客確認用の覗き窓に光を照射する投光部であって、動作切替部により警戒状態に切り替えられた場合にセンサ部が人を検知すると、上記警報発生部は投光部から覗き窓に光を照射させることを特徴とし、投光部が覗き窓に光を照射することによって、玄関の照明が点灯したように見せかけることができ、内部に人がいるように侵入者に錯覚させることができる。
【０００８】
請求項５の発明では、請求項１又は２の発明において、上記開閉部材は窓枠内に開閉自在に取り付けられた窓板であることを特徴とし、窓からの侵入者を検出することができる。
【０００９】
請求項６の発明では、請求項５の発明において、上記警報発生手段は、上記窓板に光を照射する投光部であって、動作切替部により警戒状態に切り替えられた場合にセンサ部が人を検知すると、上記警報発生部は投光部から窓板に光を照射させることを特徴とし、投光部が窓板に光を照射することによって、室内の照明が点灯したように見せかけ、室内に人がいると侵入者に錯覚させることができ、且つ警報音を発する場合のように騒音が発生しないので近所迷惑となることがない。
【００１０】
請求項７の発明では、請求項１乃至６の発明において、動作切替部により警戒状態に切り替えられた場合にセンサ部が人を検知すると、外部に接点信号を出力する接点信号出力部を設けたことを特徴とし、接点信号出力部から接点信号を出力することによって、接点信号出力部に接続された外部の機器に対して、侵入者を検知したことを報知することができる。
【００１１】
請求項８の発明では、請求項１乃至６の発明において、動作切替部により警戒状態に切り替えられた場合にセンサ部が人を検知すると、ワイヤレス信号により発報信号を送信するワイヤレス送信部を設けたことを特徴とし、ワイヤレス送信部がワイヤレス信号で発報信号を送信しているので、侵入者の検知状況を遠隔から監視することができる。
【００１２】
【発明の実施の形態】
本発明の実施の形態を図１乃至図４を参照して説明する。この侵入警戒装置は、図１及び図２に示すように、扉枠２３（建物の開口部）内に開閉自在に設置された玄関扉２０（開閉部材）の外側に取り付けられ、人体から放射される熱線を検出することにより、玄関扉２０の外側に設けた検知領域１ａにおける人の存否を検出する焦電素子のような人感センサ１（センサ部）と、玄関扉２０の内側に取り付けられる警戒装置本体２と、略Ｕ字状に形成され両側片３ｂ，３ｃの先端部にそれぞれ人感センサ１及び警戒装置本体２が取り付けられた連結部３とで構成され、人感センサ１を屋外側、警戒装置本体２を屋内側とし、連結部３の中央片３ａを玄関扉２０の上端部に載置するようにして玄関扉２０に取り付けられる。
【００１３】
また、図３はこの侵入警戒装置のブロック図を示しており、警戒装置本体２の内部には、スピーカＳＰと、玄関扉２０に設けられた来客確認用の覗き窓２０ａに向けて光Ｌ１を照射するランプＬ（投光部）と、後述の制御回路８から入力される点灯制御信号に応じてランプＬを点灯させる照明駆動回路４と、制御回路８から入力されるリレー駆動信号に応じてリレーコイル（図示せず）を励磁するリレー駆動回路５と、外部接続端子ｔ１，ｔ２間に接続されリレーコイルの励磁／非励磁に応じて開閉するリレー接点６と、制御回路８から入力される無線送信信号に応じて電波信号で警報信号を送信する無線回路７（ワイヤレス送信部）と、例えばマイクロコンピュータからなり人感センサ１の検出信号に応じて各部の動作を制御する制御回路８と、警戒装置本体２の１側面に配置され制御回路８の動作を警戒状態と非警戒状態とに切り替える切替スイッチＳＷ（動作切換部）と、電池９と、電池９を電源として各部の動作電源を生成する安定化電源１０とを収納してある。ここに、リレー駆動回路５とリレー接点６とで、外部に接点信号を出力する接点信号出力部が構成される。
【００１４】
ここで、この侵入警戒装置の動作を簡単に説明する。切替スイッチＳＷにより警戒状態に切り替えた状態で、図４に示すように不審者Ａが外部から玄関に近付いてくると、人感センサ１が不審者Ａを検出して、人体検知信号を制御回路８に出力し、警報発生部としての制御回路８は人体検知信号に応じてスピーカＳＰより警報音や生活音（例えば人の声やメロディ音や電話の音など）を鳴らして、侵入者を威嚇したり、住宅内に人がいると錯覚させる。この時同時に制御回路８は照明駆動回路４によりランプＬを点灯させており、覗き窓２０ａを通して玄関の照明が点灯したように見せかけ、内部に人がいると不審者Ａに錯覚させる。また同時に、制御回路８は、リレー駆動信号をリレー駆動回路５に出力するとともに、無線送信信号を無線回路７に出力しており、リレー駆動回路５がリレー駆動信号に応じてリレー接点をオン又はオフさせることによって、外部接続端子ｔ１，ｔ２に接続された外部機器に対して接点信号を出力することができ、また無線回路７が無線送信信号に応じて電波信号で警報信号を送信することによって、侵入者の検知状況を遠隔から監視することができる。
【００１５】
このように、本実施形態の侵入警戒装置は、人感センサ１を玄関扉２０の屋外側、警戒装置本体２を玄関扉２０の屋内側とし、連結部３の中央片３ａを玄関扉２０と扉枠２３との間の隙間に配置するようにして玄関扉２０に取り付けており、屋内に配置される警戒装置本体２に切替スイッチＳＷを設けているので、屋内から切替スイッチＳＷを操作して、警戒状態と非警戒状態とを切り替えることができる。また、屋外側に設置された人感センサ１が破壊されたとしても、屋内側に設置された警戒装置本体２は無事なので、例えば人感センサ１が接続される制御回路８の入力端子間が開放状態となるのを検出することによって、制御回路８がスピーカＳＰなどから警報を発生させることができる。
【００１６】
ところで、本実施形態では侵入警戒装置を玄関扉２０に取り付けた場合を例にして説明を行ったが、侵入警戒装置の設置部位を玄関扉２０に限定する趣旨のものではなく、建物の外壁に設けた開口部に開閉自在に設置された開閉部材であれば玄関扉２０以外の部材（例えば窓板など）でも良く、例えば図５（ａ）（ｂ）に示すように、開口部としての窓枠２１内に開閉自在に取り付けられた開閉部材としての窓板２２に侵入警戒装置を取り付けて、窓からの侵入者を警戒するようにしても良い。すなわち、侵入警戒装置は人感センサ１を屋外側、警戒装置本体２を屋内側とし、連結部３の両側片３ｂ，３ｃの間に窓板２２を挟むとともに、窓板２２のスライド方向の端部と窓枠２１との間の隙間に連結部３の中央片３ａを挟んだ状態で窓板２２に取り付けられる。
【００１７】
ここで、人感センサ１は、人体から放射される熱線を検出することによって窓の外側に設定された検知領域１ａにおける人の存否を検出しており、検知領域１ａ内で人体を検出すると人体検出信号を制御回路８に出力する。この時、切替スイッチＳＷにより警戒状態に切り替えられていれば、制御回路８はスピーカＳＰより警報音や生活音（例えば人の声やメロディ音や電話の音など）を鳴らして、侵入者を威嚇したり、住宅内に人がいると錯覚させる。また、制御回路８は照明駆動回路４によりランプＬを点灯させており、ランプＬの光を窓板２２に照射させることによって住宅内の照明が点灯したように見せかけ、住宅内に人がいると錯覚させることができ、またランプＬを瞬間的に点灯させることによってフラッシュがたかれて写真が撮られたように錯覚させることもできる。また同時に、制御回路８は、リレー駆動信号をリレー駆動回路５に出力するとともに、無線送信信号を無線回路７に出力しており、リレー駆動回路５がリレー駆動信号に応じてリレー接点をオン又はオフさせることによって、外部接続端子ｔ１，ｔ２に接続された外部機器に対して接点信号を出力することができ、また無線回路７が無線送信信号に応じて電波信号で警報信号を送信することによって、侵入者の検知状況を遠隔から監視することができる。
【００１８】
なお、侵入警戒装置を窓板２２に取り付けた場合にも、人感センサ１が窓板２２の屋外側、警戒装置本体２が窓板２２の屋内側に配置されるので、屋内から切替スイッチＳＷを操作して、警戒状態と非警戒状態とを切り替えることができる。また、屋外側に設置された人感センサ１が破壊されたとしても、屋内側に設置された警戒装置本体２は無事なので、例えば人感センサ１が接続される制御回路８の入力端子間が開放状態となるのを検出することによって、制御回路８がスピーカＳＰなどから警報を発生させることができる。
【００１９】
【発明の効果】
上述のように、請求項１の発明は、建物の外壁に設けた開口部に開閉自在に設置された開閉部材の屋外側に取り付けられ、開口部周辺における人の存在を検出するセンサ部と、警戒状態と非警戒状態とを切り替える動作切替部、音又は光の少なくともいずれか一方で警報を発生する警報発生手段、及び、動作切替部により警戒状態に切り替えられた場合にセンサ部が人を検知すると警報発生手段から警報を発生させるとともにセンサ部が破壊されると警報発生手段から警報を発生させる警報発生部を収納し、前記開閉部材の屋内側に取り付けられる警戒装置本体と、前記開閉部材と前記開口部との間の隙間に配置され、センサ部と警戒装置本体との間を連結する連結部と、を備えて成ることを特徴とし、警戒装置本体は開閉部材の屋内側に設置されており、この警戒装置本体に動作切替部が設けられているので、屋内から動作切換部を操作して警戒状態と非警戒状態とを切り替えることができるという効果がある。また、屋外に設置されたセンサ部が壊されたとしても、屋内に設置された警戒装置本体は無事なので、警戒装置本体より警報を発生させることができるという効果もある。
請求項２の発明では、請求項１の発明において、警報発生部は、センサ部が接続される入力端子間が開放状態となることからセンサ部の破壊を検出して警報発生手段から警報を発生させることを特徴とし、センサ部が接続される入力端子間が開放状態となることからセンサ部の破壊を検出して、警戒装置本体より警報を発生させることができるという効果がある。
【００２０】
請求項３の発明は、請求項１又は２の発明において、上記開閉部材は扉枠内に開閉自在に取り付けられた玄関扉であることを特徴とし、玄関からの侵入者を検出できるという効果がある。
【００２１】
請求項４の発明は、請求項３の発明において、上記警報発生手段は、玄関扉に設けられた来客確認用の覗き窓に光を照射する投光部であって、動作切替部により警戒状態に切り替えられた場合にセンサ部が人を検知すると、上記警報発生部は投光部から覗き窓に光を照射させることを特徴とし、投光部が覗き窓に光を照射することによって、玄関の照明が点灯したように見せかけることができ、内部に人がいるように侵入者に錯覚させることができるという効果がある。
【００２２】
請求項５の発明は、請求項１又は２の発明において、上記開閉部材は窓枠内に開閉自在に取り付けられた窓板であることを特徴とし、窓からの侵入者を検出できるという効果がある。
【００２３】
請求項６の発明は、請求項５の発明において、上記警報発生手段は、上記窓板に光を照射する投光部であって、動作切替部により警戒状態に切り替えられた場合にセンサ部が人を検知すると、上記警報発生部は投光部から窓板に光を照射させることを特徴とし、投光部が窓板に光を照射することによって、室内の照明が点灯したように見せかけ、室内に人がいると侵入者に錯覚させることができ、且つ警報音を発する場合のように騒音が発生しないので近所迷惑となることがない。
【００２４】
請求項７の発明は、請求項１乃至６の発明において、動作切替部により警戒状態に切り替えられた場合にセンサ部が人を検知すると、外部に接点信号を出力する接点信号出力部を設けたことを特徴とし、接点信号出力部から接点信号を出力することによって、接点信号出力部に接続された外部の機器に対して、侵入者を検知したことを報知できるという効果がある。
【００２５】
請求項８の発明は、請求項１乃至６の発明において、動作切替部により警戒状態に切り替えられた場合にセンサ部が人を検知すると、ワイヤレス信号により発報信号を送信するワイヤレス送信部を設けたことを特徴とし、ワイヤレス送信部がワイヤレス信号で発報信号を送信しているので、侵入者の検知状況を遠隔から監視できるという効果がある。
【図面の簡単な説明】
【図１】本実施形態の侵入警戒装置を玄関扉に取り付けた状態を示す取付状態図である。
【図２】同上の外観斜視図である。
【図３】同上のブロック図である。
【図４】同上の使用状態を説明する説明図である。
【図５】同上を窓板に取り付けた状態を示し、（ａ）は屋外側から見た図、（ｂ）は側方から見た斜視図である。
【図６】従来の侵入警戒装置の外観斜視図である。
【符号の説明】
１  人感センサ
１ａ  検知領域
２  警戒装置本体
３  連結部
２０  玄関扉
２３  扉枠
ＳＰ  スピーカ
ＳＷ  スイッチ
【図１】
0003899856.tif 000002
【図２】
0003899856.tif 000003
【図３】
0003899856.tif 000004
【図４】
0003899856.tif 000005
【図５】
0003899856.tif 000006
【図６】
0003899856.tif 000007